(57)【特許請求の範囲】
【請求項１】
フィルムサイズおよび種類の異なる複数のフィルム原稿から、このフィルム原稿の担持画像をズームレンズで投影して、イメージセンサで光電的に読み取り、デジタル画像処理を行い、得られたデジタル画像信号に基づいて、感光材料を露光し、現像処理して任意のプリントサイズの再生画像を持つプリントを得るデジタルプリント方法であって、
前記フィルム原稿を読取位置に保持する当該フィルム原稿専用のキャリアからキャリアＩＤコードを読み取り、読み取られた前記キャリアＩＤコードに対して前記ズームレンズの設定光学倍率を設定するに際し、
前記ズームレンズの設定光学倍率を、前記キャリアＩＤコードに対して予め設定された標準光学倍率から、この標準光学倍率を前記キャリアＩＤコードと前記再生画像をプリントすべきプリントサイズとの組み合わせに応じて調整した調整光学倍率に設定することを特徴とするデジタルプリント方法。
【請求項２】
前記調整光学倍率を得るための前記標準光学倍率の調整量は、５０％〜１５０％である請求項１に記載のデジタルプリント方法。
【請求項３】
前記調整光学倍率の設定は、前記標準光学倍率を調整して得られた実光学倍率に応じた前記ズームレンズの移動量を予め与えられた関係から得て、この移動量だけ前記ズームレンズを移動し、前記フィルム原稿の担持画像の読み取り、画像処理、露光および現像を行って、設定プリントサイズのプリントを得ることを、前記プリントサイズに対して所望サイズの前記再生画像が得られるまで繰り返す請求項１または２に記載のデジタルプリント方法。
【請求項４】
異なるフィルムサイズ毎に用意され、フィルム原稿を読取位置に保持するフィルムキャリアと、このフィルム原稿の担持画像を投影するズームレンズと、このズームレンズの移動手段と、投影された担持画像を光電的に読み取るイメージセンサと、このイメージセンサによって読み取られた画像信号をデジタル画像処理する画像処理手段と、この画像処理手段において得られたデジタル画像信号に基づいて、感光材料を露光し、現像処理して任意のプリントサイズの再生画像を持つプリントを得る画像出力手段とを有するデジタルプリント装置であって、
前記フィルム原稿を読取位置に保持する当該フィルム原稿専用のキャリアからキャリアＩＤコードを読み取る手段と、読み取られた前記キャリアＩＤコードに対して予め設定された前記ズームレンズの標準光学倍率を選択する手段と、選択された標準光学倍率を前記キャリアＩＤコードと前記再生画像をプリントすべきプリントサイズとの組み合わせに応じて調整して調整光学倍率を演算する手段と、この調整光学倍率に相当する前記ズームレンズの移動量を算出する手段とを有することを特徴とするデジタルプリント装置。
【発明の詳細な説明】
【０００１】
【発明の属する技術分野】
本発明は、フィルム原稿画像をズームレンズでイメージセンサに投影して光電的に読み取り、デジタル信号処理し、感光材料をレーザ露光し、所望の画像サイズのプリントを得るためのデジタルプリント方法および装置に関する。
【０００２】
【従来の技術】
現在、ネガフィルム、リバーサルフィルム等の写真フィルム原稿（以下、フィルム原稿または単にフィルムという）に撮影された画像の印画紙等の感光材料への焼き付けは、フィルム原稿の画像を感光材料に投影して感光材料を面露光する、いわゆる直接露光によって行われている。
【０００３】
これに対し、近年では、デジタル露光を利用する焼付システム、すなわち、フィルムに記録された画像情報を光電的に読み取って、読み取った画像をデジタル信号とした後、種々の画像処理を施して記録用の画像情報とし、この画像情報に応じて変調した記録光によって感光材料を走査露光して画像（潜像）を記録し、現像してプリントとするデジタルプリントシステムが提案され、このシステムを具体的に実施するデジタルフォトプリンタの開発が進んでいる。
【０００４】
デジタルプリントシステムでは、複数画像の合成や画像の分割等の編集や文字と画像との編集等のプリント画像の編集レイアウトや、色／濃度調整、変倍率、輪郭強調等の各種の画像処理も自由に行うことができ、用途に応じて自由に編集および画像処理した仕上りプリントを出力することができる。また、従来の直接露光によるプリントシステムでは、濃度分解能、空間分解能、色／濃度再現性等の点で、フィルム等に記録されている画像濃度情報をすべて再生することはできないが、デジタルフォトプリンタによればフィルムに記録されている画像濃度情報をほぼ１００％再生したプリントが出力可能である。
さらに、デジタルプリントシステムによれば、各フィルムに記録された画像の画像情報やそれに対する画像処理条件を、装置が有するメモリやフロッピーディスク等の外部メモリに記憶（保存）しておくことが可能であるので、焼き増し等を行う際に、原画となるフィルムが不要であり、また、再度処理条件を設定する必要がないので、迅速かつ効率良く焼き増し等の作業を行うことができる。
【０００５】
このようなデジタルプリントシステムやデジタルフォトプリンタは、基本的に、フィルム等の原稿に記録された画像をイメージセンサ等によって光電的に読み取る画像入力装置、読み取った画像を表示する表示装置、読み取った画像を画像処理して画像記録の露光条件を決定する画像処理装置、および決定された露光条件に従って感光材料を走査露光して現像処理を施しプリントを得る画像記録装置より構成される。そして、本出願人は、このようなデジタルプリントシステムを実現するための装置や方法を特開平６−２１７０９１号、同６−２３３０５２号、同６−２４５０６２号の各公報に提案し、また、同公報においてデジタルフォトプリンタの装置の概要を開示している。
【０００６】
【発明が解決しようとする課題】
ところで、従来のアナログ式プリンタでは、ランプなどの光源によって照明されたフィルム原稿画像を結像レンズによって直接感光材料に投影して、露光焼付を行うので、これらのプリンタを使用する現像所やラボ店などのユーザでは、フィルム原稿の画像面を黒い縁がでないようにマスクを掛け、しかも、仕上がりプリントが縁なしの場合にはマスク像がでないように投影する必要があるし、さらに連続処理でのばらつきや調整誤差や機差や経時劣化などを考慮し、安全率を見越して、プリントの画像は、原稿の全画像面の内の一回り小さな画面の画像となるように設定されている。このため、プリントに再生された画像は、フィルム原稿の画像面の周辺部分が削られたものとなっている。こうして、プリンタのユーザでは大多数の顧客のクレームの発生を抑え、多数のプリントの中の小数枚について原稿画像の周辺部までの再現を望む少数の顧客に対しては個々の原稿画像についてトリミング処理などを行って対処している。
【０００７】
しかしながら、フィルム原稿の種類（タイプ）によっては、例えばリバーサルフィルム（ＲＶ）等の場合には、小サイズ、例えば、Ｌサイズ（１２７×８９ｍｍ）などのプリントであっても、素人だけでなく、写真家あるいは広告や印刷などに従事する人などが扱う場合も多く、プリントを見る目が異なり、原稿画像の画面の再現率などに対する要求が厳しい。このようなプロなどにとっては、上述のＬサイズのＲＶプリントは、試し焼きに近い。例えば、大伸ばしのためのトリミング領域を決めるための試し焼きとするので、一本のリバーサルフィルムについて全部の原稿画像のけられはできるだけ小さいこと、あるいは画像のけられはないこと、さらには縁が出ても原稿画像の全画面が再現され全く画像のけられがないことを要望する顧客もいる。
【０００８】
ところが、連続処理用のプリンタでは、トリミング処理は、一つ一つの原稿画像に対して設定するものであるので、一本のフィルム原稿の全部の画像の個々について結像レンズの投影倍率や光学倍率を調整してトリミング処理を行うのは、面倒で、能率が悪く、生産性が上がらないという問題があった。
さらに、プリンタユーザにおいては、顧客に対して、仕上がりプリントにおけるフィルム原稿画像の再現限度を特徴にする場合があり、プリンタの結像レンズの倍率を特別に調整し、あるいは改修または改造して調整し、再現限度一杯にするところもあるし、逆に少しでも縁が出ることを嫌い、再現限度に大きな余裕を持たせるところもある。しかし、このようなプリンタの結像レンズの倍率の特別調整や改修調整などは、面倒であり、多様な調整に対応できないし、場合によっては元に復元できないなどの問題があった。
このため、ユーザが、結像レンズの倍率の設定値を好みに応じて簡単に調整でき、原稿画像の再現限度を調整でき、しかも簡単に元の設定値に戻すことのできるプリンタが要望されている。
【０００９】
一方、このようなアナログプリンタにおける問題点や要望は、デジタルプリントシステムにおいても全く同様である。しかしながら、上述したデジタルプリントシステムを適用するデジタルフォトプリンタにおいては、単にフィルム原稿画像を、あるいはその周辺部をマスクし、マスクされた原稿画像を、結像レンズでエリアＣＣＤなどの面状イメージセンサに投影して光電的に読み取ることを提案しているにすぎず、マスク画像の投影像とイメージセンサの有効画素領域の関係や、結像レンズの倍率と原稿画像の再現限度、さらにはこれらと原稿画像のけられなどを問題にするものではなく、ましてや結像レンズの倍率と原稿画像の再現限度の自由な調整や復元など全く開示していない。
【００１０】
本発明の目的は、上記従来技術の問題点を解消し、異なる複数のフィルムサイズのフィルム原稿に対しても複数のサイズのプリントが可能であり、いずれのフィルムサイズのフィルム原稿であっても、その担持画像のプリントへの再現限度をユーザの好みに合わせて簡単に調整するために、結像レンズの倍率の設定値を簡単に調整でき、また、調整後簡単に復元できるデジタルプリント方法および装置を提供することにある。
【００１１】
【課題を解決するための手段】
上記目的を達成するために、本発明の第１の態様は、フィルムサイズおよび種類の異なる複数のフィルム原稿から、このフィルム原稿の担持画像をズームレンズで投影して、イメージセンサで光電的に読み取り、デジタル画像処理を行い、得られたデジタル画像信号に基づいて、感光材料を露光し、現像処理して任意のプリントサイズの再生画像を持つプリントを得るデジタルプリント方法であって、前記フィルム原稿を読取位置に保持する当該フィルム原稿専用のキャリアからキャリアＩＤコードを読み取り、読み取られた前記キャリアＩＤコードに対して前記ズームレンズの設定光学倍率を設定するに際し、前記ズームレンズの設定光学倍率を、前記キャリアＩＤコードに対して予め設定された標準光学倍率から、この標準光学倍率を前記キャリアＩＤコードと前記再生画像をプリントすべきプリントサイズとの組み合わせに応じて調整した調整光学倍率に設定することを特徴とするデジタルプリント方法を提供するものである。
【００１２】
ここで、前記調整光学倍率を得るための前記標準光学倍率の調整量は、５０％〜１５０％であるのが好ましい。
また、前記調整光学倍率の設定は、前記標準光学倍率を調整して得られた実光学倍率に応じた前記ズームレンズの移動量を予め与えられた関係から得て、この移動量だけ前記ズームレンズを移動し、前記フィルム原稿の担持画像の読み取り、画像処理を行って、モニタに表示されたイメージセンサの読取画像とプリント仕上がり領域を示す基準線とを比較することを、もしくは、露光および現像を行って、設定プリントサイズのプリントを得ることを、前記プリントサイズに対して所望サイズの前記再生画像が得られるまで繰り返すのが好ましい。
【００１３】
また、本発明の第２の態様は、異なるフィルムサイズ毎に用意され、フィルム原稿を読取位置に保持するフィルムキャリアと、このフィルム原稿の担持画像を投影するズームレンズと、このズームレンズの移動手段と、投影された担持画像を光電的に読み取るイメージセンサと、このイメージセンサによって読み取られた画像信号をデジタル画像処理する画像処理手段と、この画像処理手段において得られたデジタル画像信号に基づいて、感光材料を露光し、現像処理して任意のプリントサイズの再生画像を持つプリントを得る画像出力手段とを有するデジタルプリント装置であって、
前記フィルム原稿を読取位置に保持する当該フィルム原稿専用のキャリアからキャリアＩＤコードを読み取る手段と、読み取られた前記キャリアＩＤコードに対して予め設定された前記ズームレンズの標準光学倍率を選択する手段と、選択された標準光学倍率を前記キャリアＩＤコードと前記再生画像をプリントすべきプリントサイズとの組み合わせに応じて調整して調整光学倍率を演算する手段と、この調整光学倍率に相当する前記ズームレンズの移動量を算出する手段とを有することを特徴とするデジタルプリント装置を提供するものである。
【００１４】
【発明の実施の形態】
本発明に係るデジタルプリント方法および装置を添付の図面に示す好適実施例に基づいて以下に詳細に説明する。
【００１５】
図１は、本発明のデジタルプリント方法を実施するデジタルプリント装置の一実施例をブロック図で示す概略図である。
図１に示すデジタルプリント装置１０は、異なるフィルムサイズのフィルム原稿の担持画像を光電的に読み取る画像入力装置１２と、画像入力装置１２での読み取り条件の設定やこれに基づく画像入力装置１２の制御、特に本発明での光学倍率や電子倍率ならびに読み取り画素領域や切り出し画素領域の決定、読み取られた画像信号の画像処理、および画像処理条件の自動設定（オートセットアップ）などを行う制御装置１４と、制御装置１４で処理された画像信号に基づいて感光材料に画像露光し、現像処理して再生画像を担持するプリントを出力する画像出力機１６と、画像入力装置１２で読み取られた原稿画像を表示し、画像出力機１６で出力されるプリントサイズに応じて、再生される画像の領域や、トリミング領域を表示する画像表示装置（モニタ）１８と、画像入力装置１２で読み取られた原稿画像の画像信号、または制御装置１４によって処理された、あるいは画像出力機１６で用いられる画像信号、さらには画像処理条件や露光条件や感光材料の処理条件などを記憶するサーバやＨＤなどや、もしくはＭＯ（光磁気記録媒体）あるいは磁気テープやＦＤなどの磁気記録媒体とそのドライバから構成される外部記憶装置２０と、様々な条件の設定や処理の選択や、補正などの情報を入力するためのキーボード２２ａやマウス２２ｂなどのデータ入力装置２２とを有する。
【００１６】
図２に示す画像入力装置（以下、入力装置とする）１２は、長尺なネガフィルムもしくはリバーサルフィルムであり多数の画像が撮影されているストリップスや、通常は１枚のリバーサルフィルムを枠体（マウント）に固定してなるスライドなどの種類やサイズの異なるフィルムをフィルム原稿として、これらのフィルム原稿に撮影された画像を光電的に読み取る装置であって、基本的に、光学フレーム１３、光源部２４、キャリアベース２６、ズームレンズが組み込まれた結像部２８、エリアセンサであるイメージセンサ３０およびキャリアベース２６に互いに交換自在に装着されるフィルムキャリア３２とスライドキャリア３４（図３参照）などのキャリアを有する。
この入力装置１２においては、キャリアベース２６に装着されたフィルムキャリア３２またはスライドキャリア３４によって、図中矢印ｘ方向にストリップスＡまたはスライドＢを搬送して読取位置Ｚで停止し、光源部２４からの光をフィルム原稿画像に照射して、フィルム原稿に撮影された画像を担持する投影光を得、結像部２８において投影光をイメージセンサ３０に結像し、イメージセンサ３０において光電変換して画像信号を得ることにより、フィルム原稿に撮影された画像を画像信号として二次元的に読み取る。なお、このような入力装置１２の制御は、後述する制御装置１４の制御部７０（図４および図５参照）によって行われる。
【００１７】
光源部２４は、イメージセンサ３０でフィルム原稿画像をＲ，Ｇ，Ｂの３原色に分解して高精度に読み取ることができるようにフィルム原稿（ストリップスＡまたはスライドＢ）を照射するための均一拡散した十分な光量を持つ各色光を作り出すものであって、図示例の入力装置１２において、ストリップスＡを下方から照射して投影光を得ており、光学フレーム１３のキャリアベース２６の下に位置し、光源３５、リフレクタ３５ａ、絞り３６、色フィルタ３８、および拡散ボックス４０を有する。また、光源部２４には、これ以外にも光源３５等の各種の部材を冷却する冷却ファン等が配置されており、さらに、必要に応じて、光源３５から射出する光を遮蔽するためのシャッタを設けてもよい。
光源３５としては、イメージセンサ３０による画像読取に十分な光量の読取光を射出できる各種の公知の光源が利用可能であり、例えば、ハロゲンランプ、キセノンランプ、水銀灯などが例示される。
【００１８】
絞り３６は、光源３５からの光量を調節するものであり、図示例においては、遮光部分で対数曲線が描かれた、光軸Ｌに直交する方向で通過光量の異なる２枚のＮＤフィルタを用い、光軸Ｌに直交する方向に互いに接離することにより、光源３５からフィルムに至る光量を調節する。
色フィルタ３８は、円盤状の部材にＲ（赤）フィルタ、Ｇ（緑）フィルタおよびＢ（青）フィルタの３枚の色フィルタを有し、画像読取時には、その中心軸を回転手段によって回転させることによって光軸Ｌに作用する色フィルタを切り換え、Ｒフィルタ、ＧフィルタおよびＢフィルタを順次光路Ｌに挿入して、フィルム原稿に撮影された画像をＲ、ＧおよびＢの３原色に分解して読み取る。
拡散ボックス４０は、光源３５から射出され、絞り３６によって光量を調整されて、色フィルタを通過した読取光を拡散して、フィルムに入射する読取光の光量等を光軸Ｌと直交する面でムラなく均一にするためのもので、図示例においては、内面が鏡面である四角柱の上下面に拡散板を配置した構成を有するものであるが、これ以外にも公知の光拡散手段が各種利用可能である。
【００１９】
光源部２４の上方には、キャリアベース２６が配置される。キャリアベース２６は、その上面にフィルムキャリア３２または後述するスライドキャリア３４などを載置して、所定の位置に保持する部位であり、光学フレーム１３に対して垂直に固定されている。キャリアベース２６には、光軸Ｌに対応する部分に、光源部２４からの光を通過させるための開口（図示せず）が形成されている。なお、この開口は、入力装置１２において光源部２４からの光がイメージセンサ３０で読み取り可能なフィルム原稿の最大画像面寸法（サイズ）の全面に十分に照射されるように、最大画面サイズに応じて設定される。
【００２０】
キャリアベース２６の上面には、図中手前側から光学フレーム１３に向かう方向、すなわち前記搬送方向となる矢印ｘ方向と直交する矢印ｙ方向に、案内レール４２、４２が形成され、一方、フィルムキャリア３２およびスライドキャリア３４の底面には、案内レール４２、４２と嵌合する溝４４、４４が形成されている。フィルムキャリア３２およびスライドキャリア３４は、いずれも、それらの溝４４、４４をキャリアベース２６の案内レール４２、４２に嵌合させて、矢印ｙ方向に図中奥側の端面が光学フレーム１３に当接するまで押し込んで固定することにより、矢印ｘおよび矢印ｙ方向の位置が規定され、キャリアベース２６上の所定位置に位置決めされて載置される。
またこれらのキャリア３２、３４は、図中手前の方向に引き、その溝４４、４４を案内レール４２、４２から抜くことにより、キャリアベース２６から取り外し、互いに極めて容易に交換することができる。なお、キャリアベース２６上の所定位置にフィルムキャリア３２およびスライドキャリア３４等を装着する手段は、特に制限されない。
【００２１】
フィルムキャリア３２は、多数の画像が撮影された長尺のネガフィルムもしくはリバーサルフィルム、いわゆるストリップス（スリーブ）Ａをその長手方向に搬送して、ストリップスＡに撮影された各画像を光軸Ｌ上の所定位置、すなわち図示しないキャリアベース２６の開口に対応する読取位置Ｚに順次搬送して、読み取りに供するものである。フィルムキャリア３２の上面には、矢印ｘで示される搬送方向でかつ光軸Ｌと交わる位置に端部から端部まで延在して案内溝４６が形成されている。案内溝４６は、ストリップスＡとほぼ同じ幅を有する溝であって、ストリップスＡは、案内溝４６に挿入された状態で、長手方向をｘ方向と一致して搬送され、各画像が順次、光軸Ｌ上の読取位置Ｚに搬送される。従って、この案内溝４６の深さは、ストリップスＡの画像面（すなわち乳剤面）が光軸Ｌ方向（焦点深度方向）の所定位置になるようにされる。
【００２２】
さらに、フィルムキャリア３２の読取位置Ｚには、光源部２４からの光が通過するための開口が形成されている。この開口は、入力装置１２においてイメージセンサ３０で読み取るフィルム原稿の画像のサイズを決めるマスクとして機能するもので、この開口の形状および大きさ（サイズ）、すなわちマスクの開口領域のサイズは、このフィルムキャリア３２に設置されるフィルム原稿、例えば１３５サイズのストリップスＡの画面寸法（サイズ）に応じて、画像のけられが最も小さくなるように、画面サイズにぎりぎり内接するように設定される。なお、フィルムキャリア３２の読取位置Ｚの開口は、上述したキャリアベース２６の開口とは同一の光軸Ｌ上の異なる所定位置を占めており、光源部２４から射出され、キャリアベース２６の開口を通過した光は、いかなる画面サイズのフィルム原稿を設置するフィルムキャリア３２が設置されても、その開口全面を十分に照射できるのは当然のことである。従って、光源部２４から射出され、マスクによって規定された光は、入力装置１２で読み取り可能な原稿画像の画面サイズの全面を十分に照射できる。なお、フィルムキャリア３２に形成する開口をキャリアベース２６の開口に対応するサイズとして、各種サイズのフィルムに対応するマスクを交換してフィルムキャリア３２に装着可能な構成としてもよい。
【００２３】
案内溝４６には、ｘ方向の上流から下流に向かって、ストリップスＡの搬送手段４８、フィルム圧着ユニット５０および画面検出センサ５２が配置される。
搬送手段４８は、モータ４８ａと搬送ローラ４８ｂとから構成され、ストリップスＡを矢印ｘ方向に断続搬送するもので、撮影されている画像やＤＸコードを検出するための画面検出センサ５２によってストリップスＡの画像が読取位置Ｚに来たことを検知したら停止し、制御装置１４から読み取り終了の信号を受けたら再度ストリップスＡの搬送を開始し、次の画像を読取位置Ｚに搬送する。
フィルム圧着ユニット５０は、回動軸５０ａを中心にストリップスＡの投影光が通過するための開口が形成された圧着部材５０ｂを矢印ｂ方向に回動して、画像読取時に読取位置Ｚに配置されたストリップスＡを案内溝４６に圧着することにより、ストリップスＡのカール等を矯正して画像全面を光軸Ｌ方向の所定位置、すなわち原稿設置位置に保持するものである。
なお、フィルムキャリア３２におけるストリップスＡの搬送およびフィルム圧着ユニット５０の作動は、上述の例のように画面検出センサ５２等を用いて自動で制御するものに限定はされず、半自動的あるいはオペレータが手動で圧着部材５０ｂの回動および／または搬送手段４８の停止・駆動を行ってもよい。
【００２４】
図３に示すスライドキャリア３４は、図２に示すフィルムキャリア３２と交換でキャリアベース２６に装着して、画像が撮影されたフィルムを枠体で保持してなる、いわゆるスライドＢを矢印ｘ方向に搬送して撮影位置Ｚに停止して画像読取に供し、かつ読み取りを終了したスライドＢを収集するものである。スライドキャリア３４の上面には、矢印ｘで示されるスライドＢの搬送方向でかつ光軸Ｌと交わる位置に端部から端部まで延在して、スライドＢを案内する案内溝５４が形成される。この案内溝５４の深さは、スライドＢの画像面が、ほぼ光軸Ｌ方向（焦点深度方向）の所定位置になるように設定される。さらに、スライドキャリア３４には、フィルムキャリア３２と同様に、光源部２４からの光が通過するためのマスクとして機能する開口が読取位置Ｚに形成されている。なお、フィルムキャリア３２と同様、マスクを別体として、スライドＢのサイズに応じて交換可能に構成してもよい。
【００２５】
スライドキャリア３４の上面の読取位置Ｚの近傍にはカバー５６が配置されている。カバー５６は、上面にスライドＢの投影光が通過する通過孔５６ａが形成され、通常の読取時には読取位置ＺにあるスライドＢを覆うが、図中矢印ｃ方向に回動でき、必要に応じて、読取位置Ｚを開放できる。カバー５６の下方には図示されていないが、若干幅広になった案内溝５４の部分を有し、その入り口や読取位置Ｚの近傍にはオペレータによって送入されたスライドＢや搬送手段によって自動的に搬送されたスライドＢの先端を検出するセンサが配置され、さらに、案内溝５４幅広部の両側には、スライドＢを搬送するためのローラが、それぞれ複数個、例えば６個ずつ配置され、上側のローラは、図示しない駆動源によって所定速度で回転するスライドＢの搬送ローラで、下側のローラは、ばねなどの付勢手段によってスライドＢを上方に付勢可能な従動ローラで構成される。なお、読取位置Ｚには、必要に応じて、読取時に、その先端部でスライドＢを案内溝５４に押圧し、スライドＢ（その枠体）の歪や浮き上がり等を矯正するスライド押さえが配置されていても良い。
【００２６】
カバー５６の搬送（矢印ｘ方向）下流側には、読み取りの終了したスライドＢを回収するためのスライド回収箱５８が配置される。図示例のスライド回収箱５８は、既に回収されたスライドＢの下に潜り込ませて、スライドＢを収納するように構成されており、読み取りの終了したスライドＢは、順次下方から積層されて回収される。なお、スライド回収箱５８は、これ以外にも、後から搬送されるスライドＢの押動により落下したスライドＢを収容する箱等であってもよい。
【００２７】
なお、本発明においては、フィルム原稿を読取位置に設置するためのキャリアとしては、フィルム原稿の種類およびサイズが異なる毎に一対一に対応する交換可能なキャリアであるのが好ましく、ストリップスＡやスライドＢを読取位置Ｚに自動もしくは半自動搬送する上述したフィルムキャリア３２やスライドキャリア３４の他、読取位置Ｚに光源部２４からの光が通過するための開口が形成され、かつ案内レール４２、４２に嵌合する溝が形成されたキャリアであれば、どの様なものでもよく、オペレータがストリップスやスライドを所定の位置に固定するマニュアルキャリアであってもオペレータが任意の位置にフィルムやスライドを配置して読み取りを行うトリミングキャリア等であってもよい。
これらのキャリアは、各々キャリアＩＤコードが付され、各キャリアが光学フレーム１３のキャリアベース２６に装着され、かつ電気的接続がなされた時、該当するキャリアＩＤコードが制御装置１４に送信されるように構成される。
【００２８】
光学フレーム１３の上部には、ストリップスＡおよびスライドＢの投影光をイメージセンサ３０に結像させる結像部２８が配置される。結像部２８は、光学フレーム１３に固定される定盤６０に垂設されるズームレンズユニット６２、倍率調整用モータ６３および焦点調整用モータ６４を有するものである。レンズユニット６２は、ストリップスＡやスライドＢのサイズに応じて光学倍率を変更して、投影光のサイズをイメージセンサ３０で受光可能な最大サイズ（すなわち、必要な画像領域がイメージセンサ３０の受光面に内接するサイズ）に調整してイメージセンサ３０に結像するための、公知のズームレンズが組み込まれたズームレンズ群６６と、その上方（光軸Ｌ方向下流側）に位置する、投影光の焦点をイメージセンサ３０の受光面上に調整する公知の焦点調整レンズが組み込まれたフォーカスレンズ群６８とを有する。
【００２９】
ここで、ズームレンズ群６６は、その調整ギヤ６６ａがズーム用モータである倍率調整モータ６３によって回転されるギヤ６３ａに噛合しており、このモータ６３によって固有の標準光学倍率または本発明法によって設定された設定光学倍率に応じた大きさの投影像がイメージセンサ３０上に結像するように光軸Ｌ方向に移動調整される。倍率調整モータ６３の駆動量は、メモリ７８に格納された倍率−パルステーブルによって決定される。また、フォーカスレンズ群６８は、その調整ギヤ６８ａが焦点調整モータ６４によって回転されるギヤ６４ａに噛合しており、このモータ６４によって焦点を調整され、すなわち合焦位置に移動調整される。焦点調整モータ６４の駆動は、制御装置１４の自動焦点調整手段８０によって制御されており、図示例の入力装置１２は、ＴＴＬ（Through The Lens）方式により、イメージセンサ３０によって読み取られた得られた画像およびそのコントラストを用いて自動焦点調整（オートフォーカス：ＡＦ）を行う。なお、結像部２８には、レンズ温度の変動によるレンズユニット６２の焦点位置の変動を補正するために、例えばサーミスタなどの温度センサを取り付けてもよい。
【００３０】
ストリップスＡおよびスライドＢの投影光は、レンズユニット６２によってイメージセンサ３０に結像され、光電的に読み取られる。なお、レンズユニット６２とイメージセンサ３０との間には、暗電流補正等に用いられる公知のシャッタが配置されていてもよい。
２次元的な画像読取を行う入力装置１２において、イメージセンサ３０はエリアセンサであって、例えば、１３８０×９２０画素のＣＣＤセンサである。また、図示例の装置では、イメージセンサ３０は半画素に対応する量だけｘ方向およびｙ方向に移動可能に構成されており、これにより、読取画素数を見掛け上で４倍まで増やすことができる。
画像入力装置１２は、基本的に以上のように構成される。
【００３１】
イメージセンサ３０からの信号は、制御装置１４に出力される。
制御装置１４は、図１に示すように、画像入力装置１２の各部および全体ならびに本発明のデジタルプリント装置１０の制御を行う制御部７０と、入力装置１２のイメージセンサ３０からの出力信号を受け、所定の信号処理を施して入力画像信号とする信号処理装置７２と、得られた画像信号に所要、もしくは所望の画像処理を施して画像出力装置１６に出力画像信号として出力する画像処理装置７４とを有する。
制御部７０は、信号処理装置７２の信号処理演算の制御のみならず、入力装置１２の各部および全体の制御を行い、かつ本発明法におけるズームレンズの設定光学倍率の調整方法を実施する各手段からなる設定光学倍率調整手段７５を構成するＣＰＵ７６と、読取光学倍率情報、ズームレンズ移動量情報、イメージセンサ情報、キャリア情報、出力画素密度、プリントサイズ、マガジン情報、出力けられ余裕量、入出力画素欠損などを記憶するメモリ７８と、イメージセンサ３０によって読み取られた得られた画像を用いて自動焦点調整を行う自動焦点調整手段８０、画像回転手段８２、ネガ／ポジ変換手段８４などとを有する。また、制御部７０には、入力装置１２の操作や読取光学倍率などの読取条件の設定、プリントサイズ（出力画像のサイズ）や主被写体の設定、色／濃度補正等の操作指示、入力を行うキーボード２２ａおよびマウス２２ｂ、イメージセンサ３０で読み取った画像を表示するモニター１８等が接続される。
【００３２】
図４に、制御部７０および信号処理装置７２の一実施例の詳細なブロック図を示す。制御部７０において、ＣＣＤ３０は読取画素数を見掛け上増加させる画素ずらしを行うためのｘ−ｙ方向の移動制御回路３０ａを介してＣＰＵバスに接続される。ＣＣＤ３０で読み取られた画像情報は、信号処理装置７２に入力される。信号処理装置７２において、ＣＣＤ３０で読み取られたアナログ画像データは、Ａ／Ｄ変換器８６でディジタル画像データに変換され、オフセット補正回路８７でＤＣオフセットが補正され、次いで暗時補正回路８８で暗時補正がかけられる。この後、ＬＯＧ変換回路８９でＬＯＧ変換され、シェーディング補正回路９０でシェーディング補正されて、入力画像信号とされた後、フレームメモリ９１に記憶され、画像処理装置７４に出力されるものである。
暗時補正回路８８で暗時補正された画像データは、自動焦点調整手段８０に入力される。自動焦点調整手段８０は、まず焦点調整モータ６４を制御して、レンズユニット６２を所定サーチエリア内の所定間隔の各点に移動し、各点での暗時補正された画像データを得て、画像コントラスト積算値を求めるとを繰り返して、これが最大となる位置を合焦位置（ピント位置）と決定し、この合焦位置にＣＰＵバスを介して焦点調整モータ６４を制御し、レンズユニット６２を設定する。
【００３３】
一方、キャリアＩＤ判別手段３１からはストリップスＡ用のフィルムキャリア３２かスライドＢ用のスライドキャリア３４かのいずれかの、装填されているキャリアＩＤコードが、キーボード２２ａやマウス２２ｂからは、入力、選択、追加または修正された登録プリントサイズ、読取光学倍率の調整値などの読取条件、色および／または濃度の補正、覆い焼き補正、階調補正などの記録条件などの情報がＣＰＵバスを介してＣＰＵ７６、メモリ７８、自動焦点調整手段８０に入力される。
なお、光源部２４の光源３５、絞り（アイリス絞り）３６、色フィルタ３８は、それぞれＣＰＵ７６とＣＰＵバスを介して接続される光源制御回路３５ａ、絞り制御回路３６ａ、色フィルタ制御回路３８ａによって、光強度、開度、色フィルタの種類が制御される。
【００３４】
ＣＰＵ７６の設定光学倍率調整手段７５は、キャリアＩＤ判別手段３１から入力されたキャリアＩＤコードからメモリ７８に記憶されている標準光学倍率を選択する手段と、このキャリアＩＤコード（フィルム原稿種別、サイズ、マスクサイズ）とプリントサイズの組み合わせに対して、データ入力装置２２によって入力されたズームレンズユニット６２の設定光学倍率の調整値に従って選択された標準光学倍率から調整光学倍率を演算する手段と、メモリ７８に記憶されている光学倍率とズームレンズユニット６２のズームレンズ群６６の移動量、すなわち倍率調整モータ６３に与えるパルス数との関係から、例えばこれらの関係を表すテーブル（ＬＵＴ）から演算された調整光学倍率に相当する移動量（パルス数）を算出する手段とを有する。各手段の作用については後述する。
【００３５】
メモリ７８には、キャリアベース２６に装着されるキャリアのＩＤコードとこのキャリアのマスクサイズ（主副走査方向の寸法情報）とこのキャリアにセットされるフィルムの種類とサイズなどのキャリア情報、キャリアＩＤコードとこれに対応する標準光学倍率や設定光学倍率に応じたズームレンズ６２のズームレンズ群６６の位置（ホームポジションＨＰからの移動量、すなわち倍率調整モータ６３に付与するパルス数）を示す倍率−パルステーブルなどの本発明法を実施するのに必要な読取光学倍率情報、イメージセンサ３０のサイズ（主副走査方向の寸法情報）と画素密度と有効画素領域（数）などのイメージセンサ情報、画像出力機１６の出力画素密度、登録されているプリントサイズ（長短辺（縦横）の寸法情報）、画像出力機１６に装填されるマガジンのＩＤコードとこのマガジン内に収納される感光材料のサイズ（幅情報）と種類などのマガジン情報、画像出力機１６の搬送装置における感光材料の蛇行や光ビーム走査装置による主走査長誤差などの考慮した出力けられ余裕量、画像処理装置７４におけるＬＰＦ（ローパスフィルター）や電子変倍などの画像処理による入力画素欠損（画素数）とＵＳＭ（アンシャープネスマスク）などの画像処理による出力画素欠損（画素数）などの情報を含め、本発明のデジタルプリント装置１０の動作制御に必要な情報などの様々な情報が記憶されている。
【００３６】
また、制御部７０に設けられる画像回転制御手段８２は、画像出力機１６から装填されている感光材料の情報、特に幅情報が伝送されているので、この幅情報およびオペレータから入力装置２２によって入力されたプリントサイズの情報から、出力する画像の記録方向、すなわち主走査方向が、読み取った画像の縦横のいずれになるかを判別し、読取画像の縦横を変換する、すなわち、９０°回転させる必要性を判別し、回転が必要な時には画像の回転を行うものである。
ところで、画像出力機１６では、ロール状に巻回された長尺な感光材料を用いて、副走査方向に搬送される感光材料を副走査搬送方向に略直交する一次元方向、すなわち主走査方向に偏向される光ビームによって走査露光（焼付）することにより、感光材料を２次元的に露光するものである。このため、感光材料の幅に応じて露光の主走査方向が設定されたプリントサイズの長手方向になるか、短手方向になるかが一義的に決められてしまう。
【００３７】
一方、入力装置１２においてはフィルムキャリア３２にセットされるストリップスＡやスライドキャリア３４にセットされるスライドＢの方向は定まっており、イメージセンサ３０によって読み取られる原稿画像領域をできる限り大きくしようとすれば、フィルム原稿の方向、すなわち、原稿画像の形状、従って、キャリアマスクの形状（例えば、特にアスペクト比）は、一義的に決められてしまう。このため、入力装置１２によって読み取られる原稿画像の１ラインが、画像出力機１６の主走査方向の１ラインと一致しない場合が生じる。その結果、画像回転制御手段８２によって、フレームメモリ９１に格納されている画像信号を少なくとも画像出力機１６で露光に供する前に、画像信号を処理して画像（画像領域）を９０°回転し、すなわち画素の並び変えや、フレームメモリアドレスのアクセス順序を変換式に基づいて変更する等により、出力画像のライン方向と露光のライン方向を一致させる必要があるのである。
【００３８】
さらに、制御部７０には、信号処理装置７２によって所定の信号処理が施された画像データにポジ・ネガ反転を行うポジ／ネガ変換回路８４が設けられているが、このポジ／ネガ変換回路８４は、ストリップスＡやスライドＢがリバーサルフィルムであった場合に所定の画像処理が施された画像情報を画像出力機１６に出力する前に変換してネガ画像（あるいはその逆）として出力するものである。ポジ→ネガ変換あるいはネガ→ポジ変換の方法には特に限定はなく、公知の変換方法（画像処理方法）によればよい。
なお、本発明においては、ストリップスＡやスライドＢがネガフィルムであるかリバーサルフィルムであるかは、キャリアを装填したときにキャリアＩＤ判別手段３１から伝送されるキャリアＩＤコードによって、メモリ７８に格納された情報から判別されるものであるが、これに限定されず、オペレータが入力するものであってもよい。
【００３９】
ところで、周知のように、従来の種々のプリンタにおいては、通常、画像出力のための精密な読み取り（メイン（本）スキャン）に先立ち、画像処理条件の設定等のために原稿画像を粗く読み取るプレスキャンが行われている。このため、図４に示す信号処理装置７２のフレームメモリ９１は、図５に示されるように、プレスキャン用のフレームメモリ９１ａと、トグルメモリとして構成される本スキャン用のフレームメモリ９１ｂとからなる。そして、本発明に用いられる画像処理装置７４は、このようなフレームメモリ９１ａ，９１ｂに格納されたフィルム原稿の画像信号、例えば、１枚の画像のＲ，Ｇ，Ｂの３原色の画像信号に所要の画像処理を施すものである。
【００４０】
画像処理装置７４は、図５に示されるように、モニタ１８に表示するためにプレスキャン用フレームメモリ９１ａに格納されたプレスキャン画像信号、例えば、Ｇ色の画像信号を画像処理する表示用画像処理回路９２と、画像出力機１６に出力するために本スキャン用フレームメモリ９１ｂに格納された本スキャン画像信号から本発明法によって決定された切り出し画素領域（画素数）の画素の画像信号を切り出し、適切なプリントのための画像処理を施し、覆い焼き処理のためのＬＰＦ（ローパスフィルタ）処理し、また、本発明法によって決定された電子倍率に従って、切り出し画像領域（画素数）を拡大縮小（拡縮）処理し、さらに、画像を鮮鋭化するためのＵＳＭ（アンシャープネスマスク）処理を行って、出力画像信号とする記録用画像処理回路９４と、プレスキャン画像信号や必要に応じて設定される主被写体やオペレータによって入力される所望の処理条件から、記録用画像処理回路９４における本スキャン画像信号の画像処理条件を設定する画像処理条件設定手段９６などを構成するＣＰＵ９８とを有する。
【００４１】
なお、図示例においては、入力装置１２で画像を読み取ってこれを制御装置１４で処理しているが、本発明はこれ以外にも、記憶装置２０であるサーバ、ＨＤ、ＭＯ、ＦＤなどの記憶媒体に記憶された画像信号を制御装置１４のフレームメモリ９１に読み込み、上述した同様の処理を行ってもよいし、逆に、フレームメモリ９１に格納されている画像信号を記憶装置２０に記憶させて、後の使用に供してもよい。
【００４２】
次に、画像出力機１６は、制御装置１４からの画像信号を受け、光ビーム走査装置において画像信号によって変調された、赤（Ｒ）露光、緑（Ｇ）露光および青（Ｂ）露光用光ビームを主走査方向に偏向するとともに、搬送装置によってマガジンからロール状に巻回された長尺感光材料を引き出して主走査方向と直交する副走査方向に搬送することにより、二次元的に走査露光し、露光済の感光材料Ｐを現像装置において発色現像、漂白定着、水洗処理し、乾燥装置で乾燥し、排出装置でコマ毎にカットをおこなって、プリントとして出力するものである。
【００４３】
ところで、図１に示す本発明のデジタルプリント装置１０は、被写体（処理対象）となるフィルム原稿のサイズと出力するプリントサイズとを複数設定でき、すなわち、図４に示す制御装置１４のメモリ７８にＣＰＵ７６を介して複数設定することができ、かつ任意に組み合わせることができる。
フィルム原稿は、各サイズおよび種別毎に専用のキャリア（図２のフィルムキャリア３２および図３のスライドキャリア３４参照）を有し、図２に示す画像入力装置１２のキャリアベース２６に着脱可能な構成になっている。そして、キャリア、例えば、図２に示すように、フィルムキャリア３２がキャリアベース２６に装着されると、そのフィルムキャリア３２のキャリアＩＤコードがＣＰＵ７６に送信され、認識される。同時に、画像出力機１６からはその搬送装置に装填されたマガジンのマガジンＩＤコードがＣＰＵ７６に送信され、認識される。なお、制御装置１４のメモリ７８には、フィルム原稿のマスク寸法情報や感光材料の幅情報などが記憶されているが、これらの情報はユーザが書き換えることはできない。
【００４４】
一方、出力するプリントサイズは、工場出荷時にメモリ７８に複数設定されているが、これらのメモリ７８に登録されたプリントサイズは、ＣＰＵ７６を介してモニター１８の画面上にプリントサイズ一覧として表示され、ユーザはキーボード２２ａやマウス２２ｂなどのデータ入力装置を用いてモニター１８の画面上で表示された所望のプリントサイズを選択する。所望のプリントサイズが登録されていない場合は、ユーザはキーボード２２ａなどを用いてプリントサイズの新規登録や修正を行うことができ、メモリ７８の内容を書き換えることができる。
また、図示例のデジタルプリント装置１０において、ズームレンズ設定光学倍率については、工場出荷時に、キャリアＩＤコードのみによって一義的に決められる標準光学倍率がメモリ７８に記憶されている。
【００４５】
ここで、デジタルプリント装置１０において、キャリアＩＤコードやマガジンＩＤコードが取得され、出力プリントサイズが選択されると、ＣＰＵ７６によって自動的に倍率計算が行われ、ズームレンズ設定光学倍率および電子拡縮倍率が設定される。すなわち、まず、メモリ７８からキャリアＩＤコードに固有の標準光学倍率がズームレンズ設定光学倍率として自動的に設定される。
なお、図示例のデジタルプリント装置１０においては、プレスキャン時、フィルム原稿の担持画像が投影されたイメージセンサ３０の有効画素領域（例えば、１３８０画素×９２０画素）の全画素から取り込まれた画像信号が制御装置１４の信号処理装置７２のフレームメモリ９１（プレスキャン用フレームメモリ９１ａ）に取り込まれ、間引かれてモニター１８に表示（例えば、３４５画素×２３０画素）される。
【００４６】
一方、本（ファイン）スキャンの場合にも、同様に、イメージセンサ３０の有効画素領域の全画素の画像信号が読み込まれる。しかし、フィルム原稿のサイズは複数であり、従ってマスクサイズも複数あり、種々異なっていることから、全てのフィルム原稿のマスク画像（マスクの開口領域内の原稿画像）の投影像がイメージセンサ３０の全有効画素領域に投影されるわけではなく、一般にその内側に投影される。このため、読み込まれた有効画素領域の全画素の画像信号から、プリントに再現するのに使用する入力画素領域の画素の画像信号としてマスク画像領域内のみの画素の画像信号を取り出す必要がある。従って、本発明では、光軸のずれや倍率誤差やフィルム原稿の停止位置誤差などを考慮しても、フィルム原稿の縁やマスクの縁の画素の画像信号を確実に除くことができ、マスクの開口領域内のできるだけ多くの画素の画像信号を確実に取り出すことができ、入力画素領域の画素の画像信号としてフレームメモリ９１（９１ｂ）に取り込むことができるように、イメージセンサ３０の有効画素領域のサイズ（画素数）に対して入力画素領域のサイズ（画素数）を設定している。なお、本スキャン用フレームメモリ９１ｂには、イメージセンサ３０の有効画素領域の全画素の画像信号を取り込み、入力画素領域の画素の画像信号のみを読み出すようにしてもよい。
【００４７】
一方、入力装置１２の光学系においても、標準光学倍率が、以上の関係が十分に満たされるように、フィルム原稿のマスク画像の投影像が確実に余裕を持ってイメージセンサ３０の有効画素領域の内側に入るように設定されている。従って、標準光学倍率は、フィルム原稿のマスク画像が確実にイメージセンサ３０の有効画素領域に投影され、所望のプリントサイズのプリントとして出力された時、フィルム原稿の縁が出たり、マスクの縁などが写し出されたりすることが絶対にないようにかつイメージセンサ３０の有効画素領域の利用度が高く高精細な画質が確保できる光学倍率である。ところで、ズームレンズユニット６２が実際にこの標準光学倍率に設定される場合には、ＣＰＵ７６によって、メモリ７８に記憶された倍率−パルステーブルから、設定された光学倍率となる位置にズームレンズユニット６２のズームレンズ群６６を移動させるのに必要なホームポジション（原点）からの移動量を得るために倍率調整モータ６３に付与する原点からのパルス数が読み出され、そのパルス数だけ倍率調整モータ６３が駆動されてズームレンズ群６６が移動され、標準光学倍率となる位置に停止される。
【００４８】
次いで、ＣＰＵ７６では、予め、工場出荷時に設定された様々な設定値を用いて、例えば、出力プリントサイズに応じて、画像出力機１６の感光材料の蛇行や記録長誤差などの出力画像けられ余裕量や画像処理装置７４における画素欠損（けられ）を考慮して、入力画素領域（例えば、１３４０画素×９２０画素）の画素の画像信号から、所定の出力画素密度（例えば、３００ｄｐｉ）で所望のプリントサイズ（例えば、１２７ｍｍ×８９ｍｍ）のプリントを出力するのに必要な出力画素領域（例えば、１５３１画素×１０８２画素）の画素の画像信号を作りだすための電子拡縮倍率（例えば、１２０％）の演算が行われ、けられを考慮して、画素の画像信号が信号処理装置７２に読み込まれ、フレームメモリ９１（９１ａ、必要に応じて９１ｂ）に取り込まれるイメージセンサ３０の有効画素領域から切り出す画素領域（例えば、１２９２画素×９１８画素）が決定され、モニター（例えば、３４５画素×２３０画素）１８に仕上がりプリント領域（例えば、３２３画素×２２９画素）を基準線として表示する。
【００４９】
図示例のデジタルプリント装置１０では、こうしてモニター１８に表示された基準線内の仕上がりプリント領域の画像が、そのまま画像出力機１６から出力される。しかしながら、プリント上の原稿画像再現領域、すなわち、プリントの再現画像における原稿画像のけられの量を調整したい場合には、トリミング作業を行うことができる。このトリミング作業は、ユーザが直接光学倍率を指定するか、あるいは倍率調整モータ６３によるズームの開始と停止を指定して行えばよいが、この場合にはモニター１８に実際に設定された倍率が表示されるのがよい。そして、指定後、ユーザはプリント画面に戻ったモニター１８上に表示されたイメージセンサ３０の画像と仕上がりプリント領域、すなわちトリミング領域を示す基準線とによって所定のトリミング領域の画像を確認する。所望のトリミング画像が得られていない場合には、ユーザは、所望のトリミング画像が得られるまで、このような光学倍率の調整によるトリミング作業を繰り返すことができる。
本発明においては、モニター１８に表示される基準線は、イメージセンサ３０に読み取られた原稿画像がプリント上に再現されるまでに生じる画像のけられを十分に考慮したものであるため、実際にプリントされた再現画像とのずれはほとんどないので、モニター１８上でのトリミング画像の確認で十分であるが、実際にプリントを出力しながらトリミング作業を行っても良いことは勿論である。
【００５０】
ところで、所望のトリミング画像が得られて、それがプリント上に再現され、トリミング作業が終了すると、プリント上の原稿画像再現領域を調整するために設定された所定の調整後の光学倍率は、予め本発明のデジタルプリント装置に固有に設定された標準光学倍率に戻ってしまう。このため、フィルム原稿の種別、例えば、リバーサルフィルムの１本分の全ての原稿画像についてプリント上の原稿画像再現領域を調整したい場合に、トリミング作業で１つ１つ行うことはできるが、従来のアナログプリンタと同様に、全てを行うのは極めて面倒であることは、前述した通りである。
これに対し、本発明のデジタルプリント装置においては、ユーザの好みに合わせ、恒常的にプリント上の原稿画像再現領域を所定領域に設定することができ、これに対応させ、予め設定された標準光学倍率に対し、補正係数を設定することができる。この補正係数が、標準光学倍率の調整量、即ち倍率微調値となる。
【００５１】
本発明のデジタルプリント装置は、基本的に以上のように構成されるが、以下に、本発明のデジタルプリント方法を図６に基づいて詳細に説明する。
まず、図６に示すように、画像入力装置１２には、恒常的にプリント上の原稿画像再現領域を所定領域に設定したいフィルム原稿を保持するためのキャリアが装填されており、ＣＰＵ７６は、その読取手段としてキャリアＩＤコードを読み取り、かつ認識し、このキャリアＩＤコードに対応する標準光学倍率を読取光学倍率Ｔ１としてメモリ７８から読み出し、その選択手段として機能しているものとする。
【００５２】
ここで、ユーザが、メニューにより倍率調整モードを選択すると、モニター１８にキャリアとプリントサイズの一覧が表示される。ここで、ユーザは、データ入力装置２２により目的とするキャリア（そのキャリアＩＤコードが認識されている）とプリントサイズとの組み合わせを選択し、その組み合わせに対して、調整量、即ち倍率微調値Ｔ２を数値入力する。この倍率微調値Ｔ２は、工場出荷時にデフォルトとして１００％が設定（記憶）されているが、ユーザは、５０％〜１５０％までの範囲の数値を入力することができる。ユーザによって倍率微調値Ｔ２の数値が入力されると、キャリアとプリントサイズとのＩＤコードの組み合わせに対応する倍率微調値Ｔ２のメモリ７８内の記憶値が更新される。
次に、ＣＰＵ７６は、ズームレンズユニット６２の光学倍率を調整するための調整光学倍率の演算手段として読取光学倍率Ｔ１と倍率微調値Ｔ２から、実際に設定される実光学倍率Ｔ３を下記式に従って演算する。
Ｔ３＝Ｔ１×Ｔ２／１００
【００５３】
次いで、ＣＰＵ７６は、ズームレンズ群６６の移動量の演算手段として、メモリ７８内の倍率−パルステーブルを参照して、上記式で演算された実光学倍率Ｔ３からズームレンズ群６６を原点（ホームポジション）から移動させるための倍率調整モータ６３に付与するパルス数で表されるスキャナ制御値Ｐ１に変換する。この倍率−パルステーブルは、設計値として設定されているため、いずれの装置も同一であるが、装置には必ず部品誤差、組立誤差、調整誤差などに起因する機差が存在し、これらの機差を実際に実光学倍率Ｔ３に合わせ込むための装置に固有の倍率キャリブレーション補正パルスＰ２をメモリ７８から読み出し、実際に倍率調整モータ６３に付与するパルス数で表される実スキャナ制御値Ｐ３を下記式から求める。なお、倍率キャリブレーション補正パルスＰ２は、工場出荷時の機差合わせ込みのための調整パラメータである。
Ｐ３＝Ｐ１＋Ｐ２
【００５４】
このようにして得られた実スキャナ制御値Ｐ３だけ倍率調整モータ６３を駆動し、ズームレンズ群６６を移動して、ズームレンズユニット６２の光学倍率を実光学倍率Ｔ３に設定する。一方、その後、モニター１８の表示画面はプリント画面に戻り、画像入力装置１２においてフィルム原稿画像がイメージセンサ３０によって読み取られ、プレスキャン画像がモニター１８上に表示される。ユーザは、こうしてモニター１８上に表示された原稿画像表示領域と仕上がりプリント領域を示す基準線とを比較し、もしくは読み取られた本スキャン画像を実際に画像出力機１６からプリントとして出力して、プリント上の原稿画像再現領域の調整の状態を目視で確認して、必要であれば、所望するプリント上に所望の原稿画像再現領域が得られるまで繰り返す。
【００５５】
ここで、本発明においては、モニター１８に表示される基準線は、イメージセンサ３０に読み取られた原稿画像がプリント上に再現されるまでに生じる画像のけられを十分に考慮したものであるため、基準線で示される仕上がりプリント領域内の画像と実際にプリントされた再現画像との範囲のずれはないので、モニター１８上での調整状態の確認でも、実際にプリントを出力しての調整状態の確認でも良いことは勿論である。
なお、フィルム原稿として目盛りなどの計測可能な原稿を用い、この目盛りなどの原稿をモニター１８に表示し、あるいは実際にプリントを出力し、表示されたあるいは出力された目盛りを測定することにより、倍率微調値Ｔ２を計算で求めることもできる。
【００５６】
こうして、キャリア種別（フィルム原稿サイズ）およびプリントサイズとの組み合わせに対応して、プリント上にユーザ所望の原稿画像再現領域を得るための固有の標準光学倍率Ｔ1 の倍率微調値Ｔ２をデジタルプリント装置１０のデフォルトとして設定できる。従って、同一の組み合わせが選択された時、メモリ７８に記憶された特定の倍率微調値Ｔ２が読み出されるので、ユーザ所望の同一のプリント上の原稿画像再現領域を得ることができる。ところで、工場出荷時の状態に戻したい場合には、倍率微調値Ｔ２を１００％に設定し直すことにより、メモリ７８の記憶値を容易に元に戻すことができる。
【００５７】
本発明のデジタルプリント方法の設定光学倍率調整方法は、基本的に以上のように構成されるが、以下に本発明のデジタルプリント装置の作用を説明する。
まず、デジタルプリント装置１０に電源が入れられると、制御装置１４のＣＰＵ７６は、キャリアや感光材料の情報を自動的に取得する。ここで、オペレータは、目視により、あるいは、モニター１８の画面に表示されたキャリア情報や感光材料の情報を確認して、必要であればキャリアやマガジンを交換する。交換されると、ＣＰＵ７６は、新しいキャリアやマガジンのＩＤコードを得、モニター表示を変更する。さらに、オペレータは、プリントサイズを入力する。続いてデジタルプリント装置１０においては、本発明のデジタルプリント方法によって特定の倍率微調値が設定されている場合にはその特定の倍率微調値に基づいて光学倍率や電子拡縮倍率などの倍率を自動的に計算し、設定された特定の光学倍率にズームレンズユニット６２を設定する。
【００５８】
ついで、入力装置１２の光源部２４からの光量等、デジタルプリント装置は所定の立ち上り状態にあることを確認されていると、オペレータは、ストリップスＡに撮影された１枚目の画像が読取位置ＺとなるようにストリップスＡをフィルムキャリア３２に装填する。ここで、読み取り開始の指示を出すと、入力装置１２においては、まず、プレスキャンが開始される。
プレスキャンが開始されると、光源部２４で光路Ｌに挿入された、例えば色フィルタ３８のＧフィルタによって調光された光がストリップスＡを透過し、レンズユニット６２によって原稿画像の投影像としてイメージセンサ３０の有効画素領域内に本発明法にて設定された光学倍率で結像され、Ｇ原稿画像が読み取られ、制御装置１４に送られ、信号処理装置７２で所定の信号処理された後、プレスキャン用フレームメモリ９１ａに格納される。次いで、同様にして、例えば、Ｂ画像、続いてＲ画像が読み取られ、順次フレームメモリ９１ａに格納されて、プレスキャンが終了する。
【００５９】
同時に、制御装置１４においては、画像処理装置７４によってフレームメモリ９１ａからプレスキャンＧ画像が読み出され、表示用画像処理回路９２で画像処理され、仕上がりプリント領域を示す基準線と共にモニタ１８に表示される。モニタ１８に表示された原稿画像を使って、主被写体の設定等が行われ、画像処理条件設定手段９６において、得られた画像情報や主被写体等に応じて、画像処理条件が設定され、制御部７０において、絞り３６の調整等が行われる。
また、制御部７０においては、信号処理装置７２で信号処理されたプレスキャン画像を用いて、自動焦点調整手段８０によるズームレンズユニット６２の自動焦点調整が行われる。
この後、本スキャンが開始されると、プレスキャンと同様に、フィルム原稿のＧ画像、Ｂ画像およびＲ画像が、順次読み取られて制御装置１４に送られ、信号処理装置７２で信号処理された後、本スキャン用フレームメモリ９１ｂに格納される。続いて、画像処理装置７４において、電子拡縮倍率によって決定された切り出し画素領域の画素の画像信号がフレームメモリ９１ｂから読み出され、記録用画像処理回路９４でＬＰＦ、拡縮（電子変倍）、ＵＳＭなどの画像処理が施され、必要に応じて、画像回転制御手段８２による画像の９０度回転およびネガ／ポジ変換手段８４によるネガ／ポジ反転が行われて、送出出力画素領域（画素数）の画像信号が、画像出力機１６に伝送される。
【００６０】
一方、画像出力機１６においては、マガジンから引き出された感光材料Ｐが、画像位置情報形成部に搬送され、コマ情報が形成された後、露光部に搬送される。露光部では、光ビーム走査装置によって光ビームを制御装置から転送された画像信号によって変調し、変調された光ビームを主走査方向に偏向して副走査搬送される感光材料Ｐを走査露光することにより、潜像を形成する。
潜像が形成された感光材料Ｐは、バックプリント部に搬送され、フィルム撮影日等の情報をバックプリントされ、リザーバに収容され、排出部から現像装置に搬送される。現像装置に搬送された感光材料Ｐは、所定の速度で搬送されつつ、各槽において、発色現像、漂白定着、水洗の各処理を順次施されて現像され、乾燥装置で乾燥されて、排出装置の切断部でコマ情報に応じてプリント毎に切断されて仕上りプリントとされて、ソート情報に応じてソータに収納される。
【００６１】
以上、本発明のデジタルプリント方法および装置について詳細に説明したが、本発明は上記実施例に限定はされず、本発明の要旨を逸脱しない範囲において、各種の改良および変更を行ってもよいのはもちろんである。
【００６２】
【発明の効果】
以上詳述したように、本発明によれば、ユーザの好みに応じて、フィルム原稿画像のけられの微調整を行うことができ、すなわちプリント上のフィルム原稿画像再現領域をフィルム原稿およびプリントのサイズの組み合わせに対応して調整でき、装置に固有の標準光学倍率からこの調整を可能にするための光学倍率の設定値に初期設定値として変更することができ、かつ変更前の元の状態に容易に戻すことができる。
また、本発明によれば、フィルム原稿画像と共に画像出力機での画像のけられや画像処理装置での画素欠損などのフィルム原稿画像の読み取り後に発生する画像のけられを予め盛り込んだ仕上がりプリント領域を基準線として表示装置上に表示することができ、しかも基準線内の表示画像とプリントの再生画像との画像のずれがないので、表示装置上に表示された仕上がりプリント領域を示す基準線によって、フィルム原稿画像のけられ、プリント上の原稿画像再現領域を容易かつ正確に確認することができ、調整作業を極めて容易かつ正確に行うことができる。
【図面の簡単な説明】
【図１】本発明に係るデジタルプリント方法を実施する本発明のデジタルプリント装置の一実施例のブロック図である。
【図２】図１に示すデジタルプリント装置の画像入力装置の一実施例の概略斜視図である。
【図３】図２に示す画像入力装置に用いられるスライドキャリアの一実施例の概略斜視図である。
【図４】図１に示すデジタルプリント装置の制御装置の一実施例のブロック図である。
【図５】図４に示す制御装置の画像処理装置の一実施例のブロック図である。
【図６】本発明に係るデジタルプリント方法の一実施例を示すフローチャートである。
【符号の説明】
１０  デジタルプリント装置
１２  画像入力装置
１４  制御装置
１６  画像出力機
１８  表示装置（モニタ）
２０  記憶装置
２２  データ入力装置
２４  光源部
２６  キャリアベース
２８  結像部
３０  イメージセンサ（ＣＣＤ）
３２  フィルムキャリア
３４  スライドキャリア
６２  ズームレンズユニット
７０  制御部
７２  信号処理装置
７４  画像処理装置
７５  設定光学倍率調整手段
７６  ＣＰＵ
７８  メモリ
９１，９１ａ，９１ｂ  フレームメモリ
９２  表示用画像処理回路
９４  記録用画像処理回路
【図１】
0003764526.tif 000002
【図２】
0003764526.tif 000003
【図３】
0003764526.tif 000004
【図４】
0003764526.tif 000005
【図５】
0003764526.tif 000006
【図６】
0003764526.tif 000007